(57)【特許請求の範囲】
【請求項１】
被選別物質が投入される選別室と、前記選別室の下方に位置する脈動室と、前記選別室と前記脈動室との間に位置する網目と、前記選別室に設けられ、被回収物質が排出される排出口と、前記排出口に隣接して配置され、被回収物質が外部に排出される際の経路となる排出路と、前記搬出路と連通して垂直方向上方に延びたベンド管とを備えた網下気室型湿式比重選別機であって、
前記ベンド管の上端の高さが、前記選別室の水位上限と水位下限との間に位置するように調節されることを特徴とする比重選別機。
【請求項２】
前記ベンド管が、前記排出路と連通した下管と、前記下管の上端に摺動可能に収容された上管とを有しており、前記下管に対して前記上管を上下に摺動させることにより前記ベンド管の上端の高さが調節されることを特徴とする請求項１に記載の比重選別機。
【請求項３】
前記ベンド管に、前記ベンド管から前記排出路への水の流れを阻止するための逆止弁が設けられていることを特徴とする請求項１又は２に記載の比重選別機。
【発明の詳細な説明】
【技術分野】
【０００１】
本発明は一般に、網下気室型湿式比重選別機に関する。より詳細には、本発明は、調節可能なベンド管を備えた網下気室型湿式比重選別機に関する。
【背景技術】
【０００２】
混在した複数の物質の中から特定の物質を選択的に回収する機械として、網下気室型湿式比重選別機が知られている。網下気室型湿式比重選別機は、選別しようとする物質（以下「被選別物質」という）が入れられる選別室が上方に、水が充填される脈動室が下方に位置し、選別室と脈動室との間に網目が配置されている。脈動室内には、空気を入／出させる空気室が配置されており、空気室内の水位を空気の入／出によって昇降させることにより、選別室内の水位を昇降させることができるようになっている。そして、選別室に入れた物質に適切な水の脈動を与えることによって、選別室内に比重別の物質の層が形成されるように構成されている（図５参照）。
【０００３】
網下気室型湿式比重選別機においては通常、成層化された物質のうち最下層の物質が回収しようとする物質（以下「被回収物質」という）になり、被回収物質は、選別室の下部に設けた排出口から排出路を介して外部に回収されるようになっている。一方、網下気室型湿式比重選別機には、排出路と連通して垂直方向上方に延びたベンド管を備えている型式のものがある。このようなベンド管は、排出路内の圧力を抜くための一種の圧抜き管である。すなわち、排出路をボックス形態とした場合には、排出口を介して排出路内に移動する被回収物質の大半が、水流とともに排出路内に引き入れられるものであることが経験的に分かっているが、排出路に連通するベンド管を設けることにより、排出路内に引き入
れられる水の量を多くして、被回収物質の回収を円滑に実施させようとしたものである。
【発明の開示】
【発明が解決しようとする課題】
【０００４】
本発明は、従来のベンド管付き網下気室型湿式比重選別機の改良を企図したものであって、より円滑な被回収物質の回収を可能にする新規な網下気室型湿式比重選別機を提案するものである。
【課題を解決するための手段】
【０００５】
本願請求項１に記載の、被選別物質が投入される選別室と、前記選別室の下方に位置する脈動室と、前記選別室と前記脈動室との間に位置する網目と、前記選別室に設けられ、被回収物質が排出される排出口と、前記排出口に隣接して配置され、被回収物質が外部に排出される際の経路となる排出路と、前記搬出路と連通して垂直方向上方に延びたベンド管とを備えた網下気室型湿式比重選別機は、前記ベンド管の上端の高さが、前記選別室の水位上限と水位下限との間に位置するように調節されることを特徴とするものである。
【０００６】
本願請求項２に記載の網下気室型湿式比重選別機は、前記請求項１の選別機において、前記ベンド管が、前記排出路と連通した下管と、前記下管の上端に摺動可能に収容された上管とを有しており、前記下管に対して前記上管を上下に摺動させることにより前記ベンド管の上端の高さが調節されることを特徴とするものである。
【０００７】
本願請求項３に記載の網下気室型湿式比重選別機は、前記請求項１又は２の選別機において、前記ベンド管に、前記ベンド管から前記排出路への水の流れを阻止するための逆止弁が設けられていることを特徴とするものである。
【発明の効果】
【０００８】
本発明の網下気室型湿式比重選別機によれば、被回収物質の回収作業を迅速かつ良好に実施することができる。
【発明を実施するための最良の形態】
【０００９】
次に図面を参照して、本発明の好ましい実施の形態に係る網下気室型湿式比重選別機について詳細に説明する。図１において全体として参照符号１０で示される本発明の好ましい実施の形態に係る網下気室型湿式比重選別機は、被選別物質が投入される選別室１２と、選別媒体（例えば水）が充填される脈動室１４と、選別室１２と脈動室１４との間に配置される網目１６とを備えている。
【００１０】
選別室１２の一方の側の上部には、被選別物質が投入される投入口１２ａが設けられ、選別室１２の他方の側の下部には、被回収物質が排出される排出口１２ｂが設けられている。そして、排出口１２ｂに隣接して、被回収物質が外部に排出される際の経路となる排出路１８が配置され、排出路１８内に、被回収物質を排出させるためのエジェクタ１８ａが配置されている。
【００１１】
エジェクタ１８ａは、シャフトに複数枚（図１では４枚）のブレードが取り付けられた形態を有しており、シャフトに連結されたモータ（図示せず）を回転駆動させることによってブレードを回転させ、これにより排出口１２ｂ付近に位置する被回収物質を排出路１８を介して排出させるようになっている。
【００１２】
網下気室型湿式比重選別機１０は又、排出路１８と連通して垂直方向上方に延びたベンド管２０を備えている。ベンド管２０は、排出路１８と連通した下管２０ａと、下管２０ａの上端に摺動可能に収容された上管２０ｂとを有しており、上管２０ｂの上端に第１弁２０ｃが設置されている。なお、上管２０ｂは、ボルト等の適当な締結具（図示せず）によって、所望の高さのところに固定することができるようになっている。
【００１３】
好ましくは、ベンド管２０に、ベンド管２０内に流入した水が排出路１８内に戻るのを防止するための逆止弁２２が設けられている（図４参照）。
【００１４】
次に、以上のように構成されたベンド管付き網下気室型湿式比重選別機１０の作動について説明する。物質Ａ（比重γA 、図３で「○」で図示）と物質Ｂ（比重γB ＜γA 、図４で「△」で図示）とから構成される物質（Ａ＋Ｂ）から物質Ａを選択的に回収する場合を例にとる。
【００１５】
まず最初に、選別室内に物質（Ａ＋Ｂ）を投入して脈動を開始すると、物質（Ａ＋Ｂ）は、比重差により次第に分離し、比重の重い物質Ａ「○」が下層を、比重の軽い物質Ｂ「△」が上層を構成するように成層化する。そして、エジェクタ１８ａを作動させると、物質Ａは、水とともに排出路１８を経由して外部に排出される（図３（ａ）参照）。ここで、ベンド管２０の上端を水位以下まで下降させると、ベンド管２０の上端から水が溢れることとなる（例えば、図３（ｂ）に示されるように、上端が水位上限（ＷU ）と水位下限（ＷL ）との間に位置するように上管２０ｂを下降させると、ベンド管２０と排水路１８（従って、選別室１２）が連通しているため、選別室１２内の脈動水の水位がベンド管２０の上端の高さと水位上限（ＷU ）との間に位置するとき、ベンド管２０の上端から水が溢れることとなる）。すなわち、溢れる分だけ、排水路１８内に引き込まれる水の量が多くなるため、これに伴い、水とともに排出路１８内に引き込まれる被回収物質Ａも多くなり、物質Ａの回収を良好に実施することができることとなる。
【００１６】
なお、脈動水が下降すると、排出路１８内の水も物質Ａとともに選別室１２内に逆流する事態も生じ得るが、逆止弁２２を設けることにより、このような事態の招来を最小限に止めることができる。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
たとえば、前記実施の形態では、排出路１８と連通した下管２０ａの上端に上管２０ｂを摺動可能に収容することによって、上管１８ｂを上下に摺動させることができるようになっているが、ベンド管２０の上端の高さを調節することができるのであれば、他の任意の構成にしてもよい。
【００１９】
また、前記実施の形態では、単一の選別室をもつ比重選別機に関連して説明されているが、複数の選別室が直列に連結された比重選別機に調節可能なベンド管をそれぞれ設けてもよい。
【図面の簡単な説明】
【００２０】
【図１】本発明の好ましい実施の形態に係る網下気室型湿式比重選別機を模式的に示した斜視図である。
【図２】図１の部分２の拡大図である。
【図３】図１の網下気室型湿式比重選別機を作動を説明するための図である。
【図４】逆止弁が設けられている形態を示した図である。
【図５】網下気室型湿式比重選別機の動作原理を説明するための図である。
【符号の説明】
【００２１】
１０  網下気室型湿式比重選別機
１２  選別室
１４  脈動室
１６  網目
１８  排出路
１８ａ  エジェクタ
２０  ベンド管
２０ａ  下管
２０ｂ  上管
２０ｃ  第１弁
２２  逆止弁
【図１】
0005024708.tif 000002
【図２】
0005024708.tif 000003
【図３】
0005024708.tif 000004
【図４】
0005024708.tif 000005
【図５】
0005024708.tif 000006